【手続補正書】
【提出日】平成27年12月9日(2015.12.9)
【手続補正１】
【補正対象書類名】特許請求の範囲
【補正対象項目名】全文
【補正方法】変更
【補正の内容】
【特許請求の範囲】
【請求項１】
アクティブ・セット・アップデート・メッセージを介してＷＴＲＵ（wireless transmit/receive unit）のリコンフィギュレーションを行う方法であって、
変調モード情報要素（ＩＥ）を含む前記アクティブ・セット・アップデート・メッセージを生成するステップであって、前記変調モードＩＥは、どの変調モードで動作しているかを前記ＷＴＲＵに示すこと、および
前記変調モードＩＥに、ＭＡＣ（media access control）リセットＩＥが含まれるか否か判定することであって、前記ＭＡＣリセットＩＥが含まれることは、ＭＡＣエンティティをリセットすることを示すこと
を備えたことを特徴とする方法。
【請求項２】
前記変調モードＩＥに、Ｅ−ＴＦＣＩ（Ｅ−ＤＣＨ（enhanced dedicated channel）transport format combination indicator）テーブルインデックスＩＥが含まれるか否か判定することであって、前記Ｅ−ＴＦＣＩテーブルインデックスＩＥが含まれることは、どのＥ−ＴＦＣＩトランスポートブロックサイズのテーブルの使用を示すことをさらに備えたことを特徴とする請求項１に記載の方法。
【請求項３】
前記変調モードは、１６ＱＡＭ（16-symbol quadrature amplitude modulation）であることを特徴とする請求項１に記載の方法。
【請求項４】
前記アクティブ・セット・アップデート・メッセージは、前記ＷＴＲＵの通信のために利用可能なアクティブ・セルを示すアクティブ・セットを、前記ＷＴＲＵに更新させる情報を含むことを特徴とする請求項１に記載の方法。
【請求項５】
前記アクティブ・セット・アップデート・メッセージに、Ｅ−ＤＰＣＣＨ（enhanced dedicated physical control channel）／ＤＰＣＣＨの電力オフセットＩＥが含まれるか否か判定することであって、前記Ｅ−ＤＰＣＣＨ／ＤＰＣＣＨの電力オフセットＩＥが含まれることは、Ｅ−ＤＰＣＣＨ／ＤＰＣＣＨの電力オフセットを変更するか否かを示すことをさらに備えたことを特徴とする請求項１に記載の方法。
【請求項６】
前記アクティブ・セット・アップデート・メッセージに、参照Ｅ−ＴＦＣＩ（Ｅ−ＤＣＨ（enhanced dedicated channel）transport format combination indicator）電力オフセットＩＥが含まれるか否か判定することであって、前記参照Ｅ−ＴＦＣＩ電力オフセットＩＥが含まれることは、前記参照Ｅ−ＴＦＣＩの電力オフセットを変更するか否かを示すことをさらに備えたことを特徴とする請求項１に記載の方法。
【請求項７】
前記アクティブ・セット・アップデート・メッセージに、Ｅ−ＴＦＣＩ（Ｅ−ＤＣＨ（enhanced dedicated channel）transport format combination indicator）ブーストＩＥが含まれるか否か判定することであって、前記Ｅ−ＴＦＣＩブーストＩＥは、Ｅ−ＴＦＣＩしきい値を変更するか否かを示すことをさらに備えたことを特徴とする請求項１に記載の方法。
【請求項８】
Ｅ−ＤＰＣＣＨ（enhanced dedicated physical control channel）のブースティングは、Ｅ−ＴＦＣＩ値が前記Ｅ−ＴＦＣＩしきい値を超えることを条件に可能となることを特徴とする請求項７に記載の方法。
【請求項９】
ネットワーク・エンティティであって、
変調モード情報要素（ＩＥ）を含むアクティブ・セット・アップデート・メッセージを生成することであって、前記変調モードＩＥは、どの変調モードで動作しているかを示し、
前記変調モードＩＥに、ＭＡＣ（media access control）リセットＩＥが含まれるか否か判定することであって、前記ＭＡＣリセットＩＥが含まれることは、ＭＡＣエンティティをリセットすることを示すように構成されたプロセッサを
備えたことを特徴とするネットワーク・エンティティ。
【請求項１０】
前記プロセッサは、前記変調モードＩＥに、Ｅ−ＴＦＣＩ（Ｅ−ＤＣＨ（enhanced dedicated channel）transport format combination indicator）テーブルインデックスＩＥが含まれるか否か判定することであって、前記Ｅ−ＴＦＣＩテーブルインデックスＩＥが含まれることは、どのＥ−ＴＦＣＩトランスポートブロックサイズのテーブルの使用を示すようにさらに構成されたことを特徴とする請求項９に記載のネットワーク・エンティティ。
【請求項１１】
前記変調モードは、１６ＱＡＭ（16-symbol quadrature amplitude modulation）であることを特徴とする請求項９に記載のネットワーク・エンティティ。
【請求項１２】
前記アクティブ・セット・アップデート・メッセージは、前記ＷＴＲＵの通信のために利用可能なアクティブ・セルを示すアクティブ・セットを、前記ＷＴＲＵに更新させる情報を含むことを特徴とする請求項９に記載のネットワーク・エンティティ。
【請求項１３】
前記プロセッサは、前記アクティブ・セット・アップデート・メッセージに、Ｅ−ＤＰＣＣＨ（enhanced dedicated physical control channel）／ＤＰＣＣＨの電力オフセットＩＥが含まれるか否か判定することであって、前記Ｅ−ＤＰＣＣＨ／ＤＰＣＣＨの電力オフセットＩＥが含まれることは、Ｅ−ＤＰＣＣＨ／ＤＰＣＣＨの電力オフセットを変更するか否かを示すようにさらに構成されたことを特徴とする請求項９に記載のネットワーク・エンティティ。
【請求項１４】
前記プロセッサは、前記アクティブ・セット・アップデート・メッセージに、参照Ｅ−ＴＦＣＩ（Ｅ−ＤＣＨ（enhanced dedicated channel）transport format combination indicator）電力オフセットＩＥが含まれるか否か判定することであって、前記参照Ｅ−ＴＦＣＩ電力オフセットＩＥが含まれることは、前記参照Ｅ−ＴＦＣＩの電力オフセットを変更するか否かを示すようにさらに構成されたことを特徴とする請求項９に記載のネットワーク・エンティティ。
【請求項１５】
前記プロセッサは、前記アクティブ・セット・アップデート・メッセージに、Ｅ−ＴＦＣＩ（Ｅ−ＤＣＨ（enhanced dedicated channel）transport format combination indicator）ブーストＩＥが含まれるか否か判定することであって、前記Ｅ−ＴＦＣＩブーストＩＥは、Ｅ−ＴＦＣＩしきい値を変更するか否かを示すようにさらに構成されたことを特徴とする請求項９に記載のネットワーク・エンティティ。
【請求項１６】
Ｅ−ＤＰＣＣＨ（enhanced dedicated physical control channel）のブースティングは、Ｅ−ＴＦＣＩ値が前記Ｅ−ＴＦＣＩしきい値を超えることを条件に可能となることを特徴とする請求項１５に記載のネットワーク・エンティティ。
【請求項１７】
アクティブ・セット・アップデート・メッセージを受信すると動作するＷＴＲＵ（wireless transmit/receive unit）の方法であって、
変調モード情報要素（ＩＥ）を介してどの変調モードで動作しているかを示す前記アクティブ・セット・アップデート・メッセージを受信すること、
前記アクティブ・セット・アップデート・メッセージに応答して、１または複数の低位レイヤに前記変調モードで動作し、または前記変調モードを停止することを示すこと、および
前記変調モードＩＥに、ＭＡＣ（media access control）リセットＩＥが含まれるか否かに基づいて、ＭＡＣリセット手順を実行するか否か判定すること
を備えたことを特徴とする方法。
【請求項１８】
前記変調モードＩＥに、Ｅ−ＴＦＣＩ（Ｅ−ＤＣＨ（enhanced dedicated channel）transport format combination index）テーブルインデックスＩＥが含まれるか否かに基づいて、Ｅ−ＴＦＣＩトランスポートブロックサイズテーブルを判定することをさらに備えたことを特徴とする請求項１７に記載の方法。
【請求項１９】
前記判定することは、前記ＷＴＲＵが１６ＱＡＭ（16-symbol quadrature amplitude modulation）で動作することを条件に、２ごとに増える前記Ｅ−ＴＦＣＩテーブルインデックスＩＥの値に基づいて前記Ｅ−ＴＦＣＩトランスポートブロックサイズテーブルを識別することを含むことを特徴とする請求項１８に記載の方法。
【請求項２０】
前記Ｅ−ＴＦＣＩトランスポートブロックサイズテーブルを判定することは、
前記Ｅ−ＴＦＣＩテーブルインデックスＩＥが含まれるという条件で、前記Ｅ−ＴＦＣＩテーブルインデックスＩＥにより示されたＥ−ＴＦＣＩトランスポートブロックサイズテーブルを使用すること、および
前記Ｅ−ＴＦＣＩテーブルインデックスＩＥが含まれないという条件で、以前のインデックスにより示されたＥ−ＴＦＣＩトランスポートブロックサイズテーブルを使用すること
を含むことを特徴とする請求項１８に記載の方法。
【請求項２１】
前記ＭＡＣリセットＩＥが前記変調モードＩＥに含まれるという条件で、ＭＡＣリセット手順を実行することをさらに備えたことを特徴とする請求項１７に記載の方法。
【請求項２２】
前記変調モードＩＥが含まれることは、前記変調モードで動作することを示し、前記変調モードＩＥが含まれないことは、前記変調モードで動作しないことを示すことを特徴とする請求項１７に記載の方法。
【請求項２３】
前記変調モードは、１６ＱＡＭ（16-symbol quadrature amplitude modulation）であることを特徴とする請求項１７に記載の方法。
【請求項２４】
前記アクティブ・セット・アップデート・メッセージは、前記ＷＴＲＵの通信のために利用可能なアクティブ・セルを示すアクティブ・セットを、前記ＷＴＲＵに更新させる情報を含むことを特徴とする請求項１７に記載の方法。
【請求項２５】
ＷＴＲＵ（wireless transmit/receive unit）であって、
変調モード情報要素（ＩＥ）を介してどの変調モードで動作しているかを示すアクティブ・セット・アップデート・メッセージを受信し、
１または複数の低位レイヤに前記変調モードで動作し、または前記変調モードを停止することを示し、
前記変調モードＩＥに、ＭＡＣ（media access control）リセットＩＥが含まれるか否かに基づいて、ＭＡＣリセット手順を実行するか否か判定するように構成されたプロセッサを
備えたことを特徴とするＷＴＲＵ。
【請求項２６】
前記プロセッサは、前記変調モードＩＥに、Ｅ−ＴＦＣＩ（Ｅ−ＤＣＨ（enhanced dedicated channel）transport format combination index）テーブルインデックスＩＥが含まれるか否かに基づいて、Ｅ−ＴＦＣＩトランスポートブロックサイズテーブルを判定するようにさらに構成されたことを特徴とする請求項２５に記載のＷＴＲＵ。
【請求項２７】
前記プロセッサは、前記Ｅ−ＴＦＣＩテーブルインデックスＩＥが含まれるという条件で、前記Ｅ−ＴＦＣＩテーブルインデックスＩＥにより示されたＥ−ＴＦＣＩトランスポートブロックサイズテーブルを使用し、および前記Ｅ−ＴＦＣＩテーブルインデックスＩＥが含まれないという条件で、以前のインデックスにより示されたＥ−ＴＦＣＩトランスポートブロックサイズテーブルを使用するようにさらに構成されたことを特徴とする請求項２６に記載のＷＴＲＵ。
【請求項２８】
前記ＭＡＣリセットＩＥが含まれるという条件で、ＭＡＣリセット手順を実行するようにさらに構成されたことを特徴とする請求項２５に記載のＷＴＲＵ。
【請求項２９】
前記プロセッサは、前記アクティブ・セット・アップデート・メッセージに前記変調モードＩＥが含まれるという条件で、前記変調モードで動作し、前記アクティブ・セット・アップデート・メッセージに前記変調モードＩＥが含まれないことは、前記変調モードの動作を停止するようにさらに構成されたことを特徴とする請求項２５に記載のＷＴＲＵ。
【請求項３０】
前記変調モードは、１６ＱＡＭ（16-symbol quadrature amplitude modulation）であることを特徴とする請求項２５に記載のＷＴＲＵ。